(57)【要約】【課題】高品位な画像形成が可能な撮像装置を提供する。【解決手段】撮像装置は、画素が２次元に配置された撮像素子と、前記撮像素子を駆動するパルスの設定を行う駆動回路と、第１の駆動周波数で各回路に電源供給を行う第１の動作モードと、第１の駆動周波数より高い周波数である第２の駆動周波数で前記撮像素子に電源供給を行う第２の動作モードとを有する電源回路と、前記撮像素子と前記電源回路の駆動制御を行うシステム制御部とを有し、前記撮像装置が画像データ取得シーケンスになったことが前記システム制御部から前記電源回路部に通知されると、前記撮像素子の設定及び駆動条件に応じて前記電源回路の駆動周波数を第１の駆動周波数から第２の駆動周波数に変更する。【選択図】図５
2018101929.tif 000002
【特許請求の範囲】
【請求項１】
画素が２次元に配置された撮像素子と、
前記撮像素子を駆動するパルスの設定を行う駆動回路と、
第１の駆動周波数で各回路に電源供給を行う第１の動作モードと、第１の駆動周波数より高い周波数である第２の駆動周波数で前記撮像素子に電源供給を行う第２の動作モードとを有する電源回路と、
前記撮像素子と前記電源回路の駆動制御を行うシステム制御部と
を有する撮像装置であって、
前記撮像装置が画像データ取得シーケンスになったことが前記システム制御部から前記電源回路部に通知されると、前記撮像素子の設定及び駆動条件に応じて前記電源回路の駆動周波数を第１の駆動周波数から第２の駆動周波数に変更することを特徴とする撮像装置。
【請求項２】
前記システム制御部より前記撮像素子が設定された撮影感度によって前記電源回路の駆動周波数を第１の駆動周波数から第２の駆動周波数に変更することを判定することを特徴とする請求項１に記載の撮像装置。
【請求項３】
前記撮像素子の温度を検出する温度センサをさらに有し、
前記温度センサから取得した温度情報を前記システム制御部より前記電源回路に通知し、前記電源回路の駆動周波数を第１の駆動周波数から第２の駆動周波数に変更することを判定することを特徴とする請求項１に記載の撮像装置。
【請求項４】
撮影時の露出条件を検出するＡＥセンサをさらに有し、
前記ＡＥセンサから取得した露出情報を前記システム制御部より前記電源回路に通知し、前記電源回路の駆動周波数を第１の駆動周波数から第２の駆動周波数に変更することを判定することを特徴とする請求項１に記載の撮像装置。
【請求項５】
画素が２次元に配置された撮像素子と、
前記撮像素子を駆動するパルスの設定を行う駆動回路と、
第１の駆動周波数で各回路に電源供給を行う第１の動作モードと、第１の駆動周波数より高い周波数である第２の駆動周波数で前記撮像素子に電源供給を行う第２の動作モードを有する電源回路と、
前記撮像素子と前記電源回路の駆動制御を行うシステム制御部と
を有する撮像装置の制御方法であって、
前記撮像装置が画像データ取得シーケンスになったことが前記システム制御部から前記電源回路部に通知されると、前記撮像素子の設定及び駆動条件に応じて前記電源回路の駆動周波数を第１の駆動周波数から第２の駆動周波数に変更することを特徴とする制御方法。
【請求項６】
前記システム制御部より前記撮像素子が設定された撮影感度によって前記電源回路の駆動周波数を第１の駆動周波数から第２の駆動周波数に変更することを判定することを特徴とする請求項５に記載の制御方法。
【請求項７】
前記撮像装置は、前記撮像素子の温度を検出する温度センサをさらに有し、
前記温度センサから取得した温度情報を前記システム制御部より前記電源回路に通知し、前記電源回路の駆動周波数を第１の駆動周波数から第２の駆動周波数に変更することを判定することを特徴とする請求項５に記載の制御方法。
【請求項８】
前記撮像装置は、撮影時の露出条件を検出するＡＥセンサをさらに有し、
前記ＡＥセンサから取得した露出情報を前記システム制御部より前記電源回路に通知し、前記電源回路の駆動周波数を第１の駆動周波数から第２の駆動周波数に変更することを判定することを特徴とする請求項５に記載の制御方法。
【発明の詳細な説明】
【技術分野】
【０００１】
本発明は、撮像素子に供給する電源の駆動制御を行うことができる撮像装置等に関する。
【背景技術】
【０００２】
撮像装置の撮像部に使用される撮像素子に対し、電源回路より電源供給を行っている。図２に撮像部の電源回路構成の一例を示す。電源部３０１は、使用する電池の端子間電圧が変化しても出力電圧を一定に保つために用いられるＤＣＤＣコンバータから主に構成され、必要に応じてＤＣＤＣコンバータと電源供給先の負荷との間にレギュレータなどを接続することがある。レギュレータは、ＤＣＤＣコンバータの出力電圧のノイズ成分を除去し、より安定した電源を負荷側へ供給するために用いられる。
【０００３】
撮像素子には、ＣＭＯＳイメージセンサやＣＣＤイメージセンサなどが使用されている。図７は、ＣＭＯＳイメージセンサ８０１の全体レイアウトを示す図である。図８は、ＣＭＯＳイメージセンサの画素回路構成図である。
【０００４】
図７に示すＣＭＯＳイメージセンサ８０１は、次の構成要素を備える。複数の画素が行方向及び列方向に配列されており、有効領域と遮光領域を有する。有効領域は、複数の画素のうち遮光されていない画素が配された領域８０４である。遮光領域は、複数の画素のうち遮光された画素が配された領域であり、垂直オプティカルブラック領域（ＶＯＢ領域）８０３と水平オプティカルブラック領域（ＨＯＢ領域）８０２とを含む。
【０００５】
ＶＯＢ領域８０３及びＨＯＢ領域８０２から読み出された信号は、暗電流成分又は温度変動による基準レベル（黒レベル）のずれを含み信号成分を含まないので、有効領域から読み出された信号におけるダークシェーディング成分を補正するために用いられる。ＶＯＢ領域８０３から読み出された信号は、水平方向のダークシェーディング成分の補正に使われる。ＨＯＢ領域８０２から読み出された信号は、垂直方向のダークシェーディング成分の補正に使われる。
【０００６】
図８に示す画素配列における各画素９０１は、フォトダイオード（以下ＰＤとよぶ）９０２、転送スイッチ（以下ＴＸとよぶ）９０３、フローティングディフージョン（以下ＦＤとよぶ）９０５、アンプ９０６、選択スイッチ９０７、及びリセットスイッチ９０４を含む。
【０００７】
ＰＤ９０２は、光に応じた電荷を発生させ蓄積する。ＴＸ９０３は、ＰＤ９０２で発生した電荷をＦＤ９０５へ転送する。ＦＤ９０５は、等価的にコンデンサになっており、転送された電荷を電圧へ変換する。アンプ９０６は、ＭＯＳトランジスタで構成され、列信号線９０８に接続された定電流源とともにソースフォロワ動作を行うことにより、ＦＤ９０５の電圧に応じた信号を列信号線９０８へ出力する。選択スイッチ９０７は、オンすることにより画素９０１を選択状態にし、オフすることにより画素９０１を非選択状態にする。リセットスイッチ９０４は、ＦＤ９０５をリセットする。
【０００８】
図７に示す垂直走査回路８０８は、画素配列における信号を読み出すべき画素の行を選択し、読み出し回路８０５へ信号が読み出されるように、選択した行の各列の画素を駆動する。読み出し回路８０５は、選択された行の各列の画素から出力された光信号（Ｓ信号）とノイズ信号（Ｎ信号）との差分を求めるＣＤＳ処理を行う。これにより、読み出し回路８０５は、ＣＭＯＳイメージセンサに固有の固定パターンノイズが除去された各列の画素の画像信号を求める。読み出し回路８０５は、求めた各列の画素の画像信号を保持する。
【０００９】
この固定パターンノイズには、図８に示すリセットスイッチ９０４がＦＤ９０５をリセットした際に発生するノイズや、アンプ（ＭＯＳトランジスタ）９０６の閾値電圧が画素ごとにばらつくことに起因したノイズなどがある。この固定パターンノイズは、ＣＤＳ処理を行うことによりほとんど除去される。
【００１０】
図７に示す水平走査回路８０７は、読み出し回路８０５に保持された各列の画素の画像信号を順次に選択して出力アンプ８０６へ転送させる。出力アンプ８０６は、転送された画像信号を増幅して出力する。これにより、出力アンプ８０６の後段において、遮光領域の画素の画像信号を用いて、有効領域の画素の画像信号におけるダークシェーディング成分を補正する。
【００１１】
撮像素子は、外部供給されるクロック信号等により動作する。そして、前記クロック信号は、ＤＣＤＣコンバータが有するクロック生成回路で生成される電源用クロック信号とは非同期である。すなわち、撮像素子とＤＣＤＣコンバータは非同期で動作している。ＤＣＤＣコンバータは、電源用クロック信号に応じて周期的にスイッチング動作を行うため電圧変動が生じる。
【００１２】
よって、上述した光信号（Ｓ信号）とノイズ信号（Ｎ信号）の読み出し動作を同時刻に実施することはできない為、各信号を読み出す際の電源電圧に差異が生じ、ＣＤＳ処理では除去できないノイズ成分により画質を低下させてしまう可能性がある。そこで、撮像素子とＤＣＤＣコンバータの駆動タイミングを同期させる提案がなされている。
【００１３】
特許文献１では、動作モードに応じて複数あるクロック信号の中から適切なクロックを選択してＤＣＤＣコンバータを駆動し、電源電圧の変動を抑制することを提案している。特許文献２では、周期的なノイズの周期の整数倍となるように、撮像素子の各行の読み出しタイミングを制御することを提案している。
【先行技術文献】
【特許文献】
【００１４】
【特許文献１】特開２００８−２１９２９２号公報
【特許文献２】特開２０１０−５６７９５号公報
【発明の概要】
【発明が解決しようとする課題】
【００１５】
近年の撮像素子の高感度化により、電源電圧の変動による画質への影響が顕著になっている。特許文献１に開示された従来技術では、電源クロックが選択式であるため、周辺環境や部品バラつきに追随できず、常に最適なクロックに合わせることはできない。特許文献２に開示された従来技術では、ノイズの周期に対して撮像素子の読み出しタイミングを同期させるため、ノイズの周期によっては撮像素子の読み出しタイミングに制限がかかってしまう可能性がある。
【００１６】
そこで、本発明は、電源ノイズの低減と撮像素子の電源ノイズに対する応答性の低下を目的として、ＤＣＤＣコンバータのスイッチング周波数を適切な周波数まで高めることで、高品位な画像形成が可能な撮像装置を提供することを目的とする。
【課題を解決するための手段】
【００１７】
上記目的を達成するために、本発明に係る撮像装置は、画素が２次元に配置された撮像素子と、前記撮像素子を駆動するパルスの設定を行う駆動回路と、第１の駆動周波数で各回路に電源供給を行う第１の動作モードと、第１の駆動周波数より高い周波数である第２の駆動周波数で前記撮像素子に電源供給を行う第２の動作モードとを有する電源回路と、前記撮像素子と前記電源回路の駆動制御を行うシステム制御部とを有する撮像装置であって、前記撮像装置が画像データ取得シーケンスになったことが前記システム制御部から前記電源回路部に通知されると、前記撮像素子の設定及び駆動条件に応じて前記電源回路の駆動周波数を第１の駆動周波数から第２の駆動周波数に変更することを特徴とする。
【００１８】
上記目的を達成するために、本発明に係る制御方法は、画素が２次元に配置された撮像素子と、前記撮像素子を駆動するパルスの設定を行う駆動回路と、第１の駆動周波数で各回路に電源供給を行う第１の動作モードと、第１の駆動周波数より高い周波数である第２の駆動周波数で前記撮像素子に電源供給を行う第２の動作モードを有する電源回路と、前記撮像素子と前記電源回路の駆動制御を行うシステム制御部とを有する撮像装置の制御方法であって、前記撮像装置が画像データ取得シーケンスになったことが前記システム制御部から前記電源回路部に通知されると、前記撮像素子の設定及び駆動条件に応じて前記電源回路の駆動周波数を第１の駆動周波数から第２の駆動周波数に変更することを特徴とする。
【発明の効果】
【００１９】
本発明によれば、撮像素子が応答できない周波数までＤＣＤＣコンバータのスイッチング周波数を引き上げることで、電源回路起因の画質劣化を低減することができる。さらに、本発明によれば、ＤＣＤＣコンバータと電源供給先の間のレギュレータを不要とすることができ、レギュレータ部における電力損失の除去や省スペース化が可能となる。
【図面の簡単な説明】
【００２０】
【図１】実施形態１における撮像装置１００の構成を示すブロック図
【図２】実施形態１における電源回路構成
【図３】実施形態１における制御フローチャート
【図４】実施形態１における動作シーケンス
【図５】実施形態２における電源回路構成
【図６】実施形態２における制御フローチャート
【図７】ＣＭＯＳイメージセンサ全体レイアウト図
【図８】ＣＭＯＳイメージセンサ画素回路図
【発明を実施するための形態】
【００２１】
以下、図面を参照して本発明の実施形態を説明する。ただし、本発明は以下の実施形態に限定されるものではない。
［実施形態１］
以下、実施形態１における撮像装置１００を、図１を用いて説明する。
【００２２】
撮像装置のシステムは、撮像装置１００と入射光を撮像素子１０８に導くレンズユニット２００で構成されている。撮像装置１００は光学機構、各種回路、各種操作ボタン、制御部等から構成される。不図示だが、撮像装置１００はレンズユニット２００がマウント機構を介して脱着可能となっている。また、マウント機構は複数の電気的接点２１０を備え、レンズユニット２００は撮影レンズ２０１、絞り２０２、レンズ／絞り駆動制御回路２０３等から構成される。なお、レンズ／絞り駆動制御回路２０３は、レンズ固有の情報と撮像装置１００から受信した情報を記憶する記憶装置も有している。
【００２３】
撮像装置１００とレンズユニット２００間の各種信号通信は複数の電気的接点２１０によって実現されている。たとえば撮像装置１００がカメラ制御部１１７からの制御信号により撮影レンズ２０１を光軸方向に移動させてピント合わせや絞りの制御等が行われる。カメラ制御部１１７はシステム全体を制御するＣＰＵにより構成されている。複数の電気的接点２１０は電気通信だけでなく、光通信や音声通信等の機能を有する構成としてもよい。また図１では簡略化のため撮影レンズは１枚しか図示していないが、実際は多数の撮影レンズから構成されている。
【００２４】
被写体からの入射光が撮影レンズ２０１および絞り２０２を介して、図示の矢印方向に駆動可能なクイックリターンミラー１０５に導かれる。クイックリターンミラー１０５の中央部はハーフミラーに構成されていて、クイックリターンミラー１０５がダウン時に入射光の一部を透過する。クイックリターンミラー１０５を透過した入射光は、クイックリターンミラー１０５に設けられているサブミラー１０４によりＡＦ回路１１０に向けて反射される。
【００２５】
ＡＦ回路１１０は、ＡＦセンサユニットと焦点検出回路から構成される。カメラ制御部１１７からの制御信号により、焦点検出回路がＡＦセンサユニットを制御し、位相差検出方式による焦点検出を行う。
【００２６】
クイックリターンミラー１０５により反射された光は、ペンタプリズム１０１、接眼レンズ１０３を介して撮影者側に至る。クイックリターンミラー１０５がアップ時は、撮影レンズ２０１および絞り２０２を通過した入射光は、メカシャッタであるフォーカルプレーンシャッタ１０６、フィルタ１０７を介して撮像素子１０８に至る。撮像素子１０８の具体例はＣＭＯＳセンサである。フィルタ１０７は赤外線を除去する機能と光学ローパスフィルタとしての機能を有する。
【００２７】
カメラ制御部１１７は、クイックリターンミラー１０５のアップダウンの動作とフォーカルプレーンシャッタ１０６のシャッタチャージを制御する機能や、フォーカルプレーンシャッタ１０６の先幕、後幕の走行制御機能を有するシャッタ駆動制御回路１１１が接続されている。また不図示だが、接眼レンズ１０３近傍に設置されている測光センサからの信号が出力される自動露出装置である測光回路１０２が接続されている。測光センサは被写体の輝度を測定するセンサである。
【００２８】
カメラ制御部１１７は画像処理部１１５に接続されている。画像処理部１１５はＤＳＰにより構成され、撮像素子１０８の制御や撮像素子１０８からの画像データの補正および加工などをカメラ制御部１１７の命令に基づき実行するものである。画像処理部１１５には、撮像素子１０８を駆動するためのタイミングパルス発生回路と撮像素子１０８のアナログ出力をデジタル出力に変換するＡ／Ｄコンバータ等を搭載したＡＤＴＧ１０９が接続されている。なお、ＡＤＴＧ１０９は撮像素子１０８に内蔵されていても良い。また、得られた画像データを一時的に記憶しておくメモリ１１６が接続されている。
【００２９】
撮像素子１０８からの画像データを表示するために、画像処理部１１５にはＤＡＣ１１４およびエンコーダ１１３、モニタ１１２が接続されている。ＤＡＣ１１４は、メモリ１１６上の画像データをアナログ信号に変換する。エンコーダ１１３は、ＤＡＣ１１４からの信号をモニタ１１２に表示するための映像信号に変換する。撮像素子１０８の構成と動作については背景技術で図７、図８を用いて説明したので省略する。
【００３０】
図２に、実施形態１における電源部３０１と撮像素子３０５の構成の一例を示す。なお、図２に示す撮像素子３０５は、図１に示す撮像素子１０８に対応する。各機能ブロックに対して電源供給を行う電源部３０１と、光情報を電子情報へ変換する撮像素子３０５と各機能ブロックの動作制御を行うシステム制御部３０４を有している。電源部３０１とシステム制御部３０４は図１においてはカメラ制御部１１７に含まれている。
【００３１】
撮像素子３０５は、図２において駆動タイミング制御を行うためのＴＧ３０６を内蔵しているが外付けでも良い。電源部３０１は、撮像情報を認識する信号処理部３０３と、信号処理部からの情報によってＤＣＤＣコンバータのスイッチング周波数を変更するＳＷ周波数制御部３０２を有しており、撮像素子３０５の駆動条件によって任意のスイッチング周波数を設定することが可能である。なお、スイッチング周波数を変更可能な構成として、単純にＤＣＤＣコンバータへ入力するクロックの周波数を上げる構成としても良い。
【００３２】
システム制御部３０４は、撮像装置１００に対して駆動のためのタイミング信号を供給し、電源部３０１に対しては、スイッチング周波数を設定するための撮像情報を供給する。
【００３３】
図３に、実施形態１における電源部３０１の制御フローチャートを示す。撮影が開始（４０１）されると、撮像装置１００に設定されている感度が、任意の感度ａ以上か判定を行う（４０２）。ＤＣＤＣコンバータのスイッチングによる電源変動が画質へ影響しない任意の感度ａより低感度で撮像する場合は、ＤＣＤＣコンバータのスイッチング周波数を変更せずに撮像動作（４０６）を行い、撮像を終了する（４０５）。
【００３４】
一方、任意の感度ａより高感度で撮影を行う場合には、ＤＣＤＣコンバータのスイッチング周波数を変更（４０３）する。ＤＣＤＣコンバータのスイッチング周波数の変更は、撮像装置１００に設定されている感度の判定を行った時点で対応しても良いが、電力効率が低下する可能性があるため、撮像素子３０５の画素値読出し期間のみ変更を実施することが望ましい。そして、撮像素子３０５の画素値読出し期間が終了するとＤＣＤＣコンバータのスイッチング周波数を変更前の設定に戻し（４０４）、撮像を終了する（４０５）。
【００３５】
上記図２の動作シーケンス図を図４に示す。図４のＶＤは、撮像素子３０５の動作を遷移させるタイミング信号である。ＶＤが入力されるごとに撮像素子３０５は、ｓｔａｎｄｂｙ（スタンバイ）、Ｒｓｔ（リセット）、Ａｃｃ（蓄積）、Ｒｅａｄｏｕｔ（読出し）と状態が遷移していく。そして、Ｒｅａｄｏｕｔ（読出し）のタイミングに同期させてＤＣＤＣコンバータのスイッチング周波数を変更する。
【００３６】
このように、実施形態１によれば、取得画像の画質に影響するタイミングでＤＣＤＣコンバータのスイッチング周波数を高くすることで、ＤＣＤＣコンバータのスイッチングによる電源変動に起因した画質劣化を防止することが可能となる。更に、ＤＣＤＣコンバータと電源供給先の間のレギュレータを不要とすることができ、レギュレータ部における電力損失の除去や省スペース化が可能となる。
【００３７】
また、撮像装置１００に設定された撮影条件と撮像素子３０５の動作タイミングに応じてＤＣＤＣコンバータのスイッチング周波数を変更することで、ＤＣＤＣコンバータのスイッチング周波数を上げることによる電力効率の低下を低減することが可能である。
【００３８】
しかし、実施形態１においては、低感度であるか否かがＤＣＤＣコンバータのスイッチング周波数制御の判定基準となっており、撮影条件に応じた詳細なＤＣＤＣコンバータのスイッチング周波数制御にはなっていない。よって、更なる制御の最適化を行い、ＤＣＤＣコンバータのスイッチング周波数を上げることによる電力効率の低下を最小限に留める必要がある。そこで、撮影条件に応じた詳細なＤＣＤＣコンバータのスイッチング周波数制御に関して、実施形態２で説明する。
【００３９】
［実施形態２］
次に、実施形態２における撮像装置１００を説明する。図５に、実施形態２における電源部３０１と撮像素子３０５の構成の一例を示す。なお、図５に示す撮像素子３０５は、図１に示す撮像素子１０８に対応する。
【００４０】
図２に示した実施形態１における電源部３０１と撮像素子３０５の構成との差異として、図５では露出条件を取得するためのＡＥセンサ３０７と撮像素子３０５の温度情報を取得する温度センサ３０８がシステム制御部３０４に接続されている。システム制御部３０４は、ＡＥセンサ３０７と温度センサ３０８の出力を受けて電源部３０１に露出情報と温度情報の通知を行い、電源部３０１はそれらの情報により電源制御を実施する。なお、ＡＥセンサ３０７は、図１の測光回路１０２に含まれる。温度センサ３０８に関しては、図１において図示していない。
【００４１】
図６に、実施形態２における電源部３０１の制御フローチャートを示す。撮影が開始（７０１）されると、撮像装置１００に設定されている感度が、任意の感度ａ以上か判定を行う（７０２）。そして、ＤＣＤＣコンバータのスイッチングによる電源変動が画質へ影響しない任意の感度ａより低感度で撮像する場合は、ＤＣＤＣコンバータのスイッチング周波数を変更せずに撮像動作（７０９）を行い、撮像を終了する（７０８）。
【００４２】
一方、任意の感度ａより高い感度で撮影を行う場合には、撮像装置１００に設定されている感度と任意の感度ｂの比較を行う（７０３）。任意の感度ｂとは、ＤＣＤＣコンバータのスイッチングに伴う電源変動による影響を受けやすい高い感度を意味する。撮像装置１００に設定されている感度が任意の感度ｂよりも高い場合には、その時点でＤＣＤＣコンバータのスイッチング周波数を変更（７０６）する判定を下す。撮像装置１００に設定されている感度が任意の感度ｂよりも低い場合には、撮影時に取得している最新の露出情報から現在の露出条件を取得する（７０４）。
【００４３】
取得した露出条件が適正露出より明るい場合、すなわち光量が十分な条件においては、ＤＣＤＣコンバータのスイッチングによる電源変動による画質への影響が視認しにくいため、ＤＣＤＣコンバータのスイッチング周波数を変更せずに撮像動作（７０９）を行い、撮像を終了する（７０８）。取得した露出条件が適正露出より暗い場合、ＤＣＤＣコンバータのスイッチングによる電源変動による画質への影響が視認しやすくなるため、次いで現在の撮像素子３０５の温度情報による判定（７０５）を行う。
【００４４】
現在の撮像素子３０５の温度が、任意の温度ｃより高い場合は、ＤＣＤＣコンバータのスイッチング周波数を変更せずに撮像動作（７０９）を行い、撮像を終了する（７０８）。撮像素子３０５において温度上昇が生じると暗電流等の影響によりランダムノイズの増加が、ＤＣＤＣコンバータのスイッチングによる電源変動による画質への影響よりも支配的になるからである。
【００４５】
一方、現在の撮像素子３０５の温度が、任意の温度ｃより低い場合は、ＤＣＤＣコンバータのスイッチング周波数の変更（７０６）を実施する。そして、実施形態１と同様に、撮像素子３０５の画素値読出し期間が終了するとＤＣＤＣコンバータのスイッチング周波数を変更前の設定に戻し（７０７）、撮像を終了する（７０８）。
【００４６】
なお、本発明は上述の実施形態に限定されず、その要旨の範囲内で種々の変形又は変更が可能である。
【００４７】
［実施形態３］
実施形態１及び２で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態３では、パーソナルコンピュータ、マイクロコンピュータ、ＣＰＵなどを「コンピュータＸ」と呼ぶ。また、実施形態３では、コンピュータＸを制御するためのプログラムであって、実施形態１及び２で説明した様々な機能、処理及び方法を実現するためのプログラムを「プログラムＹ」と呼ぶ。
【００４８】
実施形態１及び２で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態３におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態３におけるコンピュータ読み取り可能な記憶媒体は、ｎｏｎ−ｔｒａｎｓｉｔｏｒｙ（非一時的）な記憶媒体である。
【符号の説明】
【００４９】
１００  デジタルカメラ
１０１  ペンタプリズム
１０２  測光回路
１０３  接眼レンズ
１０４  サブミラー
１０５  クイックリターンミラー
１０６  フォーカルプレーンシャッタ
１０７  フィルタ
１０８  撮像素子
１０９  ＡＤＴＧ
１１０  ＡＦ回路
１１１  シャッタ駆動制御回路
１１２  モニタ
１１３  エンコーダ
１１４  ＤＡＣ
１１５  画像処理部
１１６  メモリ
１１７  カメラ制御部
２００  レンズユニット
２０１  撮影レンズ
２０２  絞り
２０３  レンズ／絞り駆動制御回路
３０１  電源部
３０２  スイッチング周波数制御部
３０３  信号処理部
３０４  システム制御部
３０５  撮像素子
３０６  タイミングジェネレータ（ＴＧ）
３０７  ＡＥセンサ
３０８  温度センサ
８０１  ＣＭＯＳイメージセンサ
８０２  水平オプティカルブラック
８０３  垂直オプティカルブラック
８０４  有効領域
８０５  読み出し回路
８０６  出力アンプ
８０７  水平走査回路
８０８  垂直走査回路
９０１  画素
９０２  フォトダイオード
９０３  転送スイッチ
９０４  リセットスイッチ
９０５  フローティングディフージョン
９０６  アンプ
９０７  選択スイッチ
９０８  列信号線
【図１】
2018101929.tif 000003
【図２】
2018101929.tif 000004
【図３】
2018101929.tif 000005
【図４】
2018101929.tif 000006
【図５】
2018101929.tif 000007
【図６】
2018101929.tif 000008
【図７】
2018101929.tif 000009
【図８】
2018101929.tif 000010